(57)【要約】【課題】将来のユーザの使用を考慮して蓄電池の将来性能を予測する。【解決手段】本発明の一態様としての蓄電池性能評価装置は、推定部と、予測部と、性能評価部とを備える。前記推定部は、評価対象となる蓄電池の内部状態を表す状態量に基づき、前記蓄電池の使用履歴を推定する。前記予測部は、前記使用履歴に基づき、予め与えられたユーザ設定の使用条件に従って前記蓄電池を今後使用した場合の前記蓄電池の内部状態の劣化進行を計算して、将来における前記蓄電池の状態量を予測する。前記性能評価部は、前記予測部が予測した状態量に基づき、前記蓄電池の性能を評価する。【選択図】図１
2015059924.tif 000002
【特許請求の範囲】
【請求項１】
評価対象となる蓄電池の内部状態を表す状態量に基づき、前記蓄電池の使用履歴を推定する推定部と、
前記使用履歴に基づき、予め与えられたユーザ設定の使用条件に従って前記蓄電池を今後使用した場合の前記蓄電池の内部状態の劣化進行を計算して、将来における前記蓄電池の状態量を予測する予測部と
前記予測部が予測した状態量に基づき、前記蓄電池の性能を評価する性能評価部と、
を備えた蓄電池性能評価装置。
【請求項２】
前記予測部は、時間に応じて蓄電池に関するパラメータの変化を表した複数の使用パターンを格納した使用パターンデータベースから、前記蓄電池の使用条件に応じた使用パターンを取得し、前記使用パターンに従って前記蓄電池が使用された場合の劣化進行を計算する
請求項１に記載の蓄電池性能評価装置。
【請求項３】
前記予測部は、前記使用パターンで定められたパラメータを入力とする劣化モデル式を、前記取得された使用パターンに基づいて計算することで、前記蓄電池の内部状態の劣化進行を計算する
請求項２に記載の蓄電池性能評価装置。
【請求項４】
前記蓄電池の使用条件は、蓄電池の使用期間に関する情報を含み、
前記予測部は、前記使用期間後の前記蓄電池の状態量を予測する
請求項１ないし３のいずれか一項に記載の蓄電池性能評価装置。
【請求項５】
前記蓄電池の使用条件は、さらに前記蓄電池の使用頻度、使用地域、急速充電の有無のうちの少なくとも１つを含む
請求項４に記載の蓄電池性能評価装置。
【請求項６】
前記予測部は、前記蓄電池の状態量のばらつきを示したデータに基づき、モンテカルロ法により、前記取得した蓄電池の状態量に対して複数のサンプリング点を生成し、前記サンプリング点ごとに前記将来における蓄電池の状態量の値を予測し、各予測した状態量の値を表す分布を、所定の使用限界水準と比較することにより、前記蓄電池の性能を評価する
請求項１ないし５のいずれか一項に記載の蓄電池性能評価装置。
【請求項７】
前記推定部は、前記蓄電池の使用履歴として、前記蓄電池の使用期間および使用温度を推定する
請求項１ないし６のいずれか一項に記載の蓄電池性能評価装置。
【請求項８】
前記蓄電池の状態量は、前記蓄電池の活物質毎の容量、活物質毎の抵抗、前記蓄電池の電池容量、前記蓄電池の抵抗のうちの少なくとも１つを含む
請求項１ないし７のいずれか一項に記載の蓄電池性能評価装置。
【請求項９】
評価対象となる蓄電池の内部状態を表す状態量に基づき、前記蓄電池の使用履歴を推定する推定ステップと、
前記使用履歴に基づき、予め与えられた使用条件に従って前記蓄電池を今後使用した場合の前記蓄電池の内部状態の劣化進行を計算して、将来における前記蓄電池の状態量を予測する予測ステップと
前記予測部が予測した状態量に基づき、前記蓄電池の性能を評価する性能評価ステップと、
を備えた蓄電池性能評価方法。
【発明の詳細な説明】
【技術分野】
【０００１】
本発明の実施形態は、蓄電池性能評価装置およびその方法に関する。
【背景技術】
【０００２】
昨今スマートコミュニティの発展・普及が期待されており、これに伴って、蓄電池（システム）に対するニーズが高まっている。蓄電池システムの普及促進の方策として、蓄電池の流通の活性化、例えば中古市場の確立が考えられる。その中古市場確立のためには、蓄電池の残存価値を精度良く評価する技術が求められている。
【０００３】
従来手法として、蓄電池の過去の使用履歴を記憶し、その使用履歴から現在の蓄電池の状態を推定して、所定の閾値に基づいてグレード分けする方法が提案されている。
【０００４】
その他の従来手法として、車両のバッテリ制御において、バッテリの劣化特性とSOHに基づいて、バッテリの使用年数を取得し、使用年数と航続距離の相関関係から、現在を起点に所定期間後の将来の航続距離を、通常モードおよびロングライフモードに応じて示す方法が提案されている。
【０００５】
蓄電池の残存価値を推定するためには、蓄電池の使用履歴を記憶し、その使用履歴に基づいて推定する方法などが考えられてきた。しかし、蓄電池の使用履歴を知るためには、充放電条件や温度等の電池の使用状況を常に監視する必要があった。また、使用履歴を蓄積しても、中古市場における売買によりユーザが変わるケースなど、将来の蓄電池性能を精度よく予測することは困難であった。
【先行技術文献】
【特許文献】
【０００６】
【特許文献１】特開第２０１１-１４６３８９号公報
【特許文献２】国際公開第２０１１/０６１８０９号
【発明の概要】
【発明が解決しようとする課題】
【０００７】
本発明の実施形態は、将来のユーザの使用条件を考慮して蓄電池の将来性能を予測するものである。
【課題を解決するための手段】
【０００８】
本発明の一態様としての蓄電池性能評価装置は、推定部と、予測部と、性能評価部とを備える。
【０００９】
前記推定部は、評価対象となる蓄電池の内部状態を表す状態量に基づき、前記蓄電池の使用履歴を推定する。
【００１０】
前記予測部は、前記使用履歴に基づき、予め与えられたユーザ設定の使用条件に従って前記蓄電池を今後使用した場合の前記蓄電池の内部状態の劣化進行を計算して、将来における前記蓄電池の状態量を予測する。
【００１１】
前記性能評価部は、前記予測部が予測した状態量に基づき、前記蓄電池の性能を評価する。
【図面の簡単な説明】
【００１２】
【図１】本発明の実施形態に係る蓄電池性能評価装置のブロック図である。
【図２】本発明の実施形態に係る動作のフローチャートである。
【図３】蓄電池の現在状態を推定する方法の説明図である。
【図４】使用条件に応じた蓄電池の状態量の劣化傾向を説明する図である。
【図５】電池使用パターンの例を示す図である。
【図６】蓄電池の代表性能指標（電池容量）の所定期間後の存在確率を算出する方法の説明図である。
【図７】蓄電池の代表性能指標（抵抗）の所定期間後の存在確率を算出する方法の説明図である。
【図８】蓄電池の代表性能指標（電池容量、抵抗）の所定期間後の存在確率のイメージ図である。
【図９】劣化モデル式の例を示す図である。
【発明を実施するための形態】
【００１３】
以下、図面を参照しながら、本発明の実施形態について説明する。
【００１４】
図１に、本発明の実施形態に関する蓄電池残存価値評価装置のブロック図を示す。
【００１５】
本蓄電池残存価値評価装置は、電池状態量検出部１０２、劣化特性データベース（DB）１０３と、現在状態推定部１０４と、電池使用パターンデータベース１０６と、電池使用パターン変換部１０７と、将来性能予測部１２０と、残存価値算出部（性能評価部）１１１と、残存価値表示部１１２を備える。
【００１６】
蓄電池状態量検出部１０２は、評価対象となる蓄電池１０１からその内部状態を表す１つまたは複数の状態量を検出する。状態量とは、一例として、電池を構成する活物質ごとの容量や、電池の抵抗、活物質毎の抵抗等に相当するパラメータである。なお、活物質ごとでなく、活物質ごとの容量を合計した電池容量を状態量として検出する構成も可能である。たとえば、活物質の種類が複数でなく、単一の場合は、電池容量そのものを検出してよい。
【００１７】
劣化特性データベース１０３は、蓄電池の使用状況に応じた劣化特性のデータを記憶する。劣化特性データの形式は任意でよい。たとえば、電池状態量検出部１０２を用いて蓄電池の試験データを処理して劣化特性を測定し、測定結果を蓄電池の劣化特性データベースに記憶させてもよい。具体的に、温度条件、充放電条件、貯蔵条件等を変化させて容量（活物質毎、あるいは電池容量）や抵抗を測定し、測定したデータを試験データと関連づけて記録してもよい。また、劣化特性データベース１０３は、後述する劣化モデル式を記憶してもよい。
【００１８】
現在状態推定部１０４は、電池状態量検出部１０２にて検出した１つまたは複数の状態量と、劣化特性データベース１０３とに基づき、蓄電池の現在状態を、蓄電池の使用履歴として推定する（ステップ２）。推定される現在状態（使用履歴）とは、蓄電池のこれまでの等価的な使用条件および使用期間であり、それぞれ、等価履歴、等価年齢と定義する。等価履歴および等価年齢は、本実施形態で推定する蓄電池の使用履歴の一例である。
【００１９】
図３に、等価履歴および等価年齢の同定方法を示す。
【００２０】
ここでは状態量として、活物質A容量（状態量１）と、活物質B容量（状態量２）、電池の抵抗（状態量３）の場合が示される。状態量ごとに、使用条件に応じた劣化特性のグラフが、使用期間に応じて示される。使用条件として、本例では使用温度（環境温度）が示されている。状態量１、２では、使用期間が進むと（劣化が進むと）、容量値が小さくなる。状態量３では、劣化が進むと、抵抗値が大きくなる。劣化の進行具体は、使用条件に応じて異なっている。使用期間の代わりに、充放電のサイクル数を用いてもよい。あるいは使用温度に加えて、あるいは使用温度に変えて、充放電電流を用いてもよい。または、これら以外の使用条件を用いてもよい。
【００２１】
状態量ごとに、電池状態量検出部１０２で検出された値を、検出結果１，２、３として、図３では示している。状態量ごとに、検出結果１，２、３に対応する使用期間をＮ１、Ｎ２、Ｎ３として求める。一例として、状態量ごとに、各使用条件に対応する使用期間を求め、求めた使用期間のばらつきが最も小さい同一の使用条件を蓄電池の等価履歴として、特定する。特定した使用条件に対応する使用期間をＮ１，Ｎ２，Ｎ３とし、これらのうち、たとえば分布の中心に最も近いもの（中央値）を選択し、これを蓄電池の等価年齢（Ｎｅｑ）とする。あるいはＮ１、Ｎ２、Ｎ３の平均を等価年齢としてもよい。ここで述べた等価履歴および等価年齢の決定方法は一例であり、状態量１、２、３に対する誤差が小さくなるように使用条件および使用期間を特定する方法であれば、任意の方法を用いることができる。
【００２２】
電池使用パターン変換部１０７に入力する使用条件１０５は、ユーザが設定可能な条件であり、将来の予定使用条件である。蓄電池の使用をEV（電気自動車）での使用とした場合、今後の使用期間、使用頻度、使用地域、急速充電の使用有無等が設定される。
【００２３】
具体的には、使用期間としては、予測したい時期までの期間、例えば、次の車検時期までの期間がある。使用頻度としては、レジャー用途、業務用途等の代表的な使用条件でもよいし、あるいはより詳細に、１日の走行距離、１週間のうちの使用日数のような数値設定でもよい。急速充電の有無は、急速充電を行う予定があるか否かであり、行う予定の場合は、その使用頻度も含めてもよい。また、使用条件そのものではないが、車種の設定を含めてもよい。
【００２４】
電池使用パターンＤＢ１０６は、ユーザにより設定され得る使用条件に応じた蓄電池の使用パターンを記憶している。使用パターンは、一例として、時間に応じて蓄電池に関するパラメータの変化を表している。たとえば、使用期間と使用頻度に応じて、サイクル劣化特性とカレンダー劣化特性を考慮した蓄電池に関するパラメータの時間に応じた変化パターンである。さらに地域ごとの気温情報を元にした電池温度の時間に応じた変化パターンを格納していてもよい。サイクル劣化とは、充放電を繰り返すことにより進行する劣化、カレンダー劣化は、充放電を行わない放置状態でも時間の経過とともに進行する劣化である。
【００２５】
図５に蓄電池の使用パターン例を示す。図中のＬ１は、現在から予測したい経過時間を表している。図５（Ａ）は１周期期間分のパターンを示し、図５（Ｂ）は全体（使用期間の終了時まで）のパターンを示している。定期的にＥＶを使用し、それ以外は、停止していることを想定した例であり、そのときのＳＯＣ、温度、電流（充放電電流）のパターンが示されている。ＳＯＣ、電池温度、電流（充放電電流）は、蓄電池に関するパラメータの一例である。
【００２６】
電池使用パターン変換部１０７は、電池使用パターンＤＢ１０６から、ユーザの設定した使用条件１０５に応じた電池の使用パターンを取得する。
【００２７】
将来性能予測部１２０は、現在状態推定部１０４により推定された現在状態（等価年齢）を基準に、電池使用パターン変換部１０７にて得られた電池使用パターンで蓄電池を今後使用した場合の、所定期間後の性能を、劣化モデル１０８に基づき予測する（第１の将来性能予測）。所定期間後の性能は一例として、確率分布により表現されることもできる。
【００２８】
また、将来性能予測部１２０は、現在状態推定部１０４により推定された現在状態（等価年齢）を基準に、現在状態推定部１０４で推定された等価履歴と同じ履歴で今後も蓄電池が使用された場合の所定期間後の性能を予測する機能も有する（第２の将来性能予測）。
【００２９】
第１の将来性能予測では、上述したように、現在状態推定部１０４により推定された現在状態（等価年齢）を基準に、電池使用パターン変換部にて得られた電池使用パターンで蓄電池を使用した場合の、所定期間後の状態量を、劣化モデル１０８に基づき予測する。以下、劣化モデル１０８について説明する。
【００３０】
蓄電池の劣化は、大きく２つ劣化が起因していると考えられる。ひとつが、充放電を繰り返すことにより進行するサイクル劣化、もうひとつは、充放電を行わない放置状態でも時間の経過とともに進行するカレンダー劣化である。蓄電池の劣化は、両者の組み合わせで発生すると考えられ、一例として、両者の和で劣化モデルを表現することができる。
【００３１】
例えば、劣化モデルは、サイクルおよびカレンダー劣化試験データに基づいて作成する。サイクル劣化試験では、温度（電池温度）、電流、SOCを変数とした劣化試験を行う。カレンダー劣化試験では、SOC、温度を変数とした劣化試験を行う。それぞれ、サイクル数、経過時間に対する劣化を試験データとして収集し、それら試験データに基づいて、モデルを作成する。図９に、劣化モデル式の一例を示す。この劣化モデル式に、電池の使用パターンに応じて劣化を進行させて、将来の電池状態（電池の性能）を算出する。
【００３２】
図９には容量劣化モデル式と、抵抗劣化モデル式の例が示される。それぞれカレンダー劣化とサイクル劣化に基づき、容量劣化および抵抗劣化が表現されている。各モデル式には、初期値として現在状態を表す変数（例えばこれまでの使用時間および使用温度など）も含み、これにより現在状態から所定期間後の容量または抵抗を推定できる。具体的なモデルの作成方法は既知の方法を用いればよく、本実施形態では具体的な作成方法までは述べない。容量劣化の式として、活物質容量ごとの式を作成することも、電池容量に対して作成することも可能である。
【００３３】
将来状態量算出部１０９は、電池使用パターン変換部１０７で得られた使用パターンを入力として、劣化モデル１０８に従って蓄電池の劣化を計算して、所定期間後の状態量を算出する。所定期間は、使用条件で使用期間が指定されている場合は、その指定された期間に一致する。所定期間後までの各時点の状態量を逐次算出して、グラフを作成してもよい。
【００３４】
第２の将来性能予測では、将来性能予測部１２０の将来状態量算出部１０９は、現在状態推定部１０４にて同定された等価履歴を、所定期間後まで延長させることで、所定期間後の状態量を算出する。この場合、同一ユーザが、蓄電池の使用を継続したものとの想定である。図４に、容量の劣化傾向を示す。たとえば図３に示した活物質Ａの容量と考える。現在状態推定部１０４で推定された活物質Ａの容量の等価履歴のグラフが、図示の継続使用の劣化傾向グラフに対応する。これは劣化特性データベース１０３に格納されている。現在状態推定部１０４で推定された等価年齢に対応するグラフ上の位置が○で示されている。この位置から所定期間後のグラフ上の値を求め、これを所定期間後の活物質Ａの容量とする。外部から、継続使用よりも厳しい使用あるいは優しい使用との使用条件のユーザ設定を可能にし、それぞれの条件に応じて所定期間後の活物質Ａの容量を評価してもよい。この場合、図示の優しい使用の劣化特性のグラフ、および厳しい使用の劣化特性のグラフに従って、同様にして所定期間後の容量を算出すればよい。「厳しい」および「優しい」はそれぞれサイクル数が高いおよび低い場合としてもよいし、環境温度が高いおよび低い場合としてもよい。これらのグラフも事前に図３の劣化特性グラフと同様にして用意しておけばよい。あるいは、上述した劣化モデル１０８を用いて、「継続使用」よりも厳しいまたは優しい値を設定したパラメータを劣化モデル１０８に入力として与えて計算してもよい。
【００３５】
性能指標変換部１１０は、第１または第２の将来性能予測で算出された所定期間後の電池の状態量から、電池容量あるいは内部抵抗に相当する電池性能指標を得る。この際、電池性能指標を、確率分布として算出してもよく、以下では確率分布として得る場合を示す。ここでは第１の将来性能予測を行った場合を想定して説明を行うが、第２の将来性能予測を行った場合も同様にして行うことができる。
【００３６】
図６に代表性能指標が蓄電池の電池容量の場合の電池性能指標の算出例を示す。
【００３７】
劣化特性ＤＢ１０３には、電池使用条件（図３参照）に応じた代表性能指標の劣化特性が格納されている。性能指標変換部１１０は、現在状態推定部１０４で算出した等価履歴に対応する劣化特性のデータを劣化特性ＤＢ１０３より読み出す。図６に示す太線のグラフのうち等価年齢Neq以前の部分のグラフ（図示の点A以前の部分のグラフ）は、読み出したグラフの等価年齢Neq以前の部分に対応する。
【００３８】
点Aより後の部分のグラフは、前述の劣化モデルに従って算出したものである。そして、所定期間後（使用期間後）の点Bの値が、将来状態量算出部１０９で算出した２つの活物質の容量の和に対応する。つまり、蓄電池の電池容量は、状態量１と状態量２が蓄電池の電極の主要な２つの活物質の容量の場合、状態量１と状態量２の和で表現できる。
【００３９】
また、劣化特性ＤＢ１０３には、使用期間（年齢）や電池の種類に応じた電池容量のばらつきデータも蓄積されている。ばらつきデータは標準偏差σcや分散など、任意の指標でよい。ここでは標準偏差σcを想定する。
【００４０】
等価年齢Neqにおける標準偏差σcに基づき、等価年齢Neqから所定期間後の年齢における電池容量（代表性能指標の値）、すなわち点Bの値を中心とした正規分布を算出し、これを将来の存在確率として求める。図示の白抜きの丸は、標準偏差だけ点Bから離れた値を示す。点線のグラフは、この白抜きの丸と、点A以前の部分のグラフを滑らかにつないだものである。図示の所定の使用限界水準は、蓄電池の使用限界水準であり、この水準を越える場合は、蓄電池の使用適合性はないと判断する基準である。使用限界水準の線より下側の領域が、使用限界水準を超えた領域である。
【００４１】
また、モンテカルロ法を用いて所定期間後の電池性能指標を評価することも可能である。この場合、等価年齢Neqにおける容量（活物質Ａ、Ｂ毎）を平均とし、標準偏差をσcとした各正規分布に対して複数回ランダムにサンプリングを行い、劣化モデルに従って所定期間後の将来状態量をそれぞれ予測および合計し、電池性能指標（電池容量）を算出する。算出された電池性能指標の分布、または当該分布に最も適合する（当該分布に近い形を有する）正規分布を、将来の存在確率として得る。
【００４２】
また、将来状態量算出部１０９では活物質の容量（状態量）ごとに、将来の状態量を劣化モデルによりそれぞれ予測したが、現在時点での両者の和である電池容量を、劣化モデルに従って劣化させることで、将来の電池容量を直接予測する方法も可能である。この方法を、上述したモンテカルロ法と組み合わせても構わない。
【００４３】
上述した説明では、点A以前の部分のグラフは、劣化特性ＤＢ１０３より読み出した、等価履歴に対応する劣化特性のデータの部分としたが、別の方法として、電池状態量検出部１０２で検出した活物質毎の容量の合計を点Aの値とし、A以前のグラフは省略してもよい。点Aの値は、両者の場合で厳密には一致するとは限らないが、どちらでも本発明は実施可能である。
【００４４】
次に、図７に、代表性能指標が内部抵抗の場合の電池性能指標の算出例を示す。この例では図３に示した蓄電池の状態量３（抵抗）をそのまま電池性能指標として扱う。図示の使用限界水準の線より上側の領域が、使用限界水準を超えた領域である。これ以外は、図６と同様であるため説明を省略する。
【００４５】
図８に、代表性能指標として、電池容量および抵抗について２次元表示したイメージ図を示す。
【００４６】
横軸が電池容量、縦軸が内部抵抗として２次元表示されている。図中の白抜きの丸は、評価時（現在）の値（電池容量、抵抗）を示し、点線で示した範囲は、所定期間後の値（電池容量、抵抗）の存在確率を意味し、各点線が確率の等高線に相当する。図中の黒丸は、当該分布の中心である。このように複数の代表性能指標に関する多変量確率分布を算出することもできる。図示の斜線付の領域が使用限界水準を超えた領域である。
【００４７】
残存価値算出部（性能評価部）１１１は、性能指標変換部１１０で確率分布として算出した性能指標に対し、所定の使用限界水準（図６〜図８参照）と比較し、確率分布全体のうちその水準を超えた部分の面積の割合である使用不適合率を残存価値として算出する。図６および図７に示した斜線の領域が、所定の使用限界水準を越えた部分を示す。また図８では、破線の楕円状の領域と斜線領域との交差領域が、所定の使用限界水準を越えた部分に相当する。
【００４８】
残存価値表示部１１２は、残存価値算出部（性能評価部）１１１で算出された残存価値を、評価対象の蓄電池の残存価値評価結果として表示する。
【００４９】
上述した説明では、ユーザ設定の使用条件１０５から１つの電池使用パターンを取得したが、ユーザ設定の使用条件１０５に対し電池使用パターンの確率分布を取得する構成も可能である。以下これについて説明する。EVを前提に使用条件を考えた場合、例えば、ドライバの運転の仕方に依存するパラメータとして、アクセルあるいはブレーキの踏み具合によって、電池の使用パターンが変化するが、このような詳細情報まで使用条件１０５に考慮することは現実的には難しい。そこで、本実施形態では、使用パターンデータベース１０６に使用条件に基づく使用パターンの確率分布を記憶してもよい。この場合、例えば当該確率分布に応じて使用パターンを発生させ、それぞれの使用パターンにつき、上記等価年齢での代表性能指標値（電池容量または抵抗）の標準偏差を考慮して、前述したモンテカルロ法で、将来の代表性能指標値の分布を取得する。つまり、前述したような１つの使用パターンを用いた場合の分布を使用パターン数分得る。そしてこれらの分布の合成を近似する確率分布（例えば正規分布）を、将来の存在確率として得る。他の方法を用いて、将来の存在確率を求めてもかまわない。
【００５０】
図２に、本実施形態に係る蓄電池性能評価装置のフローチャートを示す。
【００５１】
蓄電池状態量検出部１０２は、評価対象となる蓄電池１０１から電池の内部状態を表す１つまたは複数の状態量を検出する（ステップ１）。
【００５２】
現在状態推定部１０４は、電池状態量検出部１０２にて検出した１つまたは複数の状態量と、劣化特性データベース１０３とに基づき、蓄電池の現在状態（蓄電池の使用履歴）を推定する（ステップ２）。
【００５３】
ユーザの使用条件が設定されている場合は（ステップ３の「有」）、第１の将来性能予測を行い（ステップ４、ステップ５）、設定されていない場合は（ステップ３の無）、第２の将来性予測を行う（ステップ６）。
【００５４】
第２の将来性能予測では、将来性能予測部１２０の将来状態量算出部１０９が、現在状態推定部１０４にて同定された等価履歴を、所定期間後まで延長させることで、所定期間後の状態量を算出する（ステップ６）。
【００５５】
第１の将来性能予測では、まず、電池使用パターン変換部１０７は、電池使用パターンＤＢ１０６から、ユーザの設定した使用条件１０５に応じた電池の使用パターンを取得する。次に、将来状態量算出部１０９が、現在状態推定部１０４により推定された現在状態を基準に、電池使用パターン変換部にて得られた電池使用パターンで蓄電池を使用した場合の、所定期間後の状態量を、劣化モデル１０８に基づき予測する。
【００５６】
第１または第２の将来性能予測の処理が終わったら、性能指標変換部１１０が、性能指標変換部１１０は、第１または第２の将来性能予測で算出された所定期間後の電池の状態量から、電池容量あるいは内部抵抗に相当する電池性能指標を、正規分布等の確率分布として算出する（ステップ７）。
【００５７】
ステップ８では、残存価値算出部（性能評価部）１１１が、性能指標変換部１１０で確率分布として算出した性能指標に対し、所定の使用限界水準と比較し、その水準を超えた確率である使用不適合率を残存価値として算出する。残存価値表示部１１２は、残存価値算出部（性能評価部）１１１で算出された残存価値を、評価対象の蓄電池の残存価値評価結果として表示する。
【００５８】
なお、本実施形態の蓄電池性能評価装置は、例えば汎用のコンピュータ装置を基本ハードウェアとして用いることでも実現することが可能である。スケジューリング装置内の各処理ブロックは、上記のコンピュータ装置に搭載されたプロセッサにプログラムを実行させることにより実現することができる。このとき、蓄電池性能評価装置は、上記のプログラムをコンピュータ装置にあらかじめインストールすることで実現してもよいし、ＣＤ−ＲＯＭなどの記憶媒体に記憶して、あるいはネットワークを介して上記のプログラムを配布して、このプログラムをコンピュータ装置に適宜インストールすることで実現してもよい。また、蓄電池性能評価装置内の各データベースは、上記のコンピュータ装置に内蔵あるいは外付けされたメモリ、ハードディスクもしくはＣＤ−Ｒ、ＣＤ−ＲＷ、ＤＶＤ−ＲＡＭ、ＤＶＤ−Ｒなどの記憶媒体などを適宜利用して実現することができる。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015059924.tif 000003
【図２】
2015059924.tif 000004
【図３】
2015059924.tif 000005
【図４】
2015059924.tif 000006
【図６】
2015059924.tif 000007
【図７】
2015059924.tif 000008
【図８】
2015059924.tif 000009
【図９】
2015059924.tif 000010
【図５】
2015059924.tif 000011